(57)【要約】【課題】煩雑な作業を要することなく所望の取り付け強度を確保して部品を取り付けること。【解決手段】錠受け部材３２に設けられたネジ挿通孔３２ｃを介してネジ部材４０を螺合することにより、縦枠１１の見込み面１１ａに錠受け部材３２を取り付ける取付構造であって、錠受け部材３２のネジ挿通孔３２ｃよりも数の多いネジ挿通孔５０ａが設けられた補強部材５０を備え、補強部材５０は、それぞれのネジ挿通孔５０を介してネジ部材４０を螺合することにより縦枠１１の見込み面１１ａに取り付けられ、補強部材５０と錠受け部材３２とがネジ部材４０によって連結されている。【選択図】図３
2020169497.tif 000002
【特許請求の範囲】
【請求項１】
部品に設けられたネジ挿通孔を介してネジ部材を螺合することにより、建材の外表面に前記部品を取り付ける建具の部品取付構造であって、
前記部品のネジ挿通孔よりも数の多いネジ挿通孔が設けられた補強部材を備え、
前記補強部材は、それぞれのネジ挿通孔を介してネジ部材を螺合することにより前記建材の外表面に取り付けられ、
前記補強部材と前記部品とがネジ部材によって連結されていることを特徴とする建具の部品取付構造。
【請求項２】
前記補強部材を前記建材に取り付けるネジ部材によって前記補強部材と前記部品とが連結されていることを特徴とする請求項１に記載の建具の部品取付構造。
【請求項３】
前記ネジ部材は、前記部品、前記補強部材及び前記建材に順次挿通されていることを特徴とする請求項２に記載の建具の部品取付構造。
【請求項４】
前記ネジ部材は、前記補強部材、前記部品及び前記建材に順次挿通されていることを特徴とする請求項２に記載の建具の部品取付構造。
【請求項５】
前記部品は、平板状を成す取付片と、前記取付片の一方の縁部から屈曲するように延在した錠受け片とを有し、前記取付片を介して枠体を構成する枠の内周側に位置する見込み面に取り付けられる錠受け部材であり、
前記枠体には、戸先となる框に錠部材を備えた障子が移動可能に配設され、
前記錠部材は、前記枠体に対して前記障子を閉じた状態において前記錠受け部材の錠受け片に係合可能となるように構成されていることを特徴とする請求項２に記載の建具の部品取付構造。
【請求項６】
前記補強部材には、前記錠受け片を境界として両側となる部位にそれぞれ前記ネジ挿通孔が設けられ、前記錠受け片の一方側に位置するネジ挿通孔には前記補強部材のみを前記枠に取り付けるネジ部材が螺合され、かつ前記錠受け片の他方側に位置するネジ挿通孔には前記補強部材及び前記取付片を前記枠に取り付けるネジ部材が螺合されていることを特徴とする請求項５に記載の建具の部品取付構造。
【発明の詳細な説明】
【技術分野】
【０００１】
本発明は、建具の部品取付構造に関するものである。
【背景技術】
【０００２】
建具には、枠体を構成する枠や障子を構成する框等の建材に種々の部品が取り付けられている。例えば、障子と枠体との間を施錠する戸先錠を備えた建具では、縦枠の内周側に位置する外表面に錠受け部材が取り付けられ、障子の戸先となる縦框に錠部材が取り付けられている。枠体に対して障子を閉じた状態で錠部材を施錠操作すると、錠部材が錠受け部材に噛み合った状態となり、障子の開く方向への移動が制限されることになる。
【０００３】
これらの部品の取り付けにあたっては、補強部材が適用されている。すなわち、建材の裏側に補強部材を取り付けた状態でネジ部材を螺合することによって部品が建材の外表面に取り付けられている。このように補強部材を用いた取付構造によれば、部品に加えられた外力が補強部材によって分散されるため、建材が樹脂によって成形されている場合にも部品の取り付け強度の点で有利となる（例えば、特許文献１参照）。
【先行技術文献】
【特許文献】
【０００４】
【特許文献１】特開２０１０−２４８０４号公報
【発明の概要】
【発明が解決しようとする課題】
【０００５】
ところで、躯体に設置された後の建具においては、枠の裏面に補強部材を配置することが困難となる。このため、例えば、建築物をリフォームする際に建具をクレセント錠から戸先錠に変更するには、つまり枠に新たに錠受け部材を設けるには、躯体から枠体を取り外して補強部材を配置する必要があり、作業が煩雑になるばかりか、工期やコストの面でも好ましいとはいえない。なお、こうした問題は、躯体に取り付けられる枠に限られるものではない。例えば、組み立てられた後の障子に対しても、框の裏面に補強部材を配置することは困難となる。また、建材として中空状に構成されたものが適用されている場合には、躯体に設置される以前や組み立てられる以前の状態であっても、長手方向の所望の位置に補強部材を配置することは容易ではない。
【０００６】
本発明は、上記実情に鑑みて、煩雑な作業を要することなく所望の取り付け強度を確保して部品を取り付けることのできる建具の部品取付構造を提供することを目的とする。
【課題を解決するための手段】
【０００７】
上記目的を達成するため、本発明に係る建具の部品取付構造は、部品に設けられたネジ挿通孔を介してネジ部材を螺合することにより、建材の外表面に前記部品を取り付ける建具の部品取付構造であって、前記部品のネジ挿通孔よりも数の多いネジ挿通孔が設けられた補強部材を備え、前記補強部材は、それぞれのネジ挿通孔を介してネジ部材を螺合することにより前記建材の外表面に取り付けられ、前記補強部材と前記部品とがネジ部材によって連結されていることを特徴とする。
【発明の効果】
【０００８】
本発明によれば、部品が取り付けられる建材の外表面に補強部材を配設しているため、煩雑な作業を要することなく所望の取り付け強度を確保して部品を取り付けることが可能となる。
【図面の簡単な説明】
【０００９】
【図１】本発明の実施の形態１である部品取付構造を適用した建具の要部を示すもので、（ａ）は障子が閉じた状態の要部横断面図、（ｂ）は障子が開いた状態の要部横断面図である。
【図２】図１に示した建具の要部を示すもので、（ａ）は斜視図、（ｂ）は分解斜視図である。
【図３】図１に示した建具の要部を示すもので、（ａ）は横断面図、（ｂ）は分解横断面図である。
【図４】補強部材の変形例を示す斜視図である。
【図５】本発明の実施の形態２である部品取付構造を適用した建具の要部を示す横断面図である。
【図６】図５に示した建具の要部を示すもので、（ａ）は斜視図、（ｂ）は分解斜視図である。
【図７】図５に示した建具の要部を示すもので、（ａ）は横断面図、（ｂ）は分解横断面図である。
【図８】図５に示した建具に適用する補強部材を示したもので、（ａ）は側面図、（ｂ）は（ａ）における矢視Ｂ図である。
【図９】本発明の実施の形態３である部品取付構造を適用した建具の要部を示す横断面図である。
【発明を実施するための形態】
【００１０】
以下、添付図面を参照しながら本発明に係る建具の部品取付構造の好適な実施の形態について詳細に説明する。なお、本実施の形態では便宜上、見込み方向及び見付け方向値得用語を用いる。見込み方向とは、図中の矢印Ａで示すように、建具の奥行きに沿った方向である。見込み方向に沿った面については見込み面と称する場合がある。見付け方向とは、後述する縦枠等のように上下方向に沿って延在するものの場合、見込み方向に直交した水平に沿う方向である。上枠等のように水平方向に沿って延在するものの場合には、見込み方向に直交した上下に沿う方向が見付け方向である。見付け方向に沿った面については、見付け面と称する場合がある。
【００１１】
（実施の形態１）
図１及び図２は、本発明の実施の形態１である部品取付構造を適用した建具の要部を示したものである。ここで例示する建具は、枠体１０に対して障子２０がスライド可能に支持された引き違い窓と称されるものである。本実施の形態１では、枠体１０を構成する枠１１及び障子２０を構成する框２１のそれぞれが樹脂によって成形された押し出し形材からなる引き違い窓を例示している。図には明示していないが、枠体を構成する枠の端部間、及び障子を構成する框の端部間は、それぞれ４５°の傾斜面を介して溶着してある。
【００１２】
図からも明らかなように、引き違い窓には、障子２０の戸先に位置する縦框２１と、枠体１０の縦枠（建材）１１との間に戸先錠３０が設けてある。戸先錠３０は、縦框２１に設けた錠部材３１と、縦枠１１に設けた錠受け部材３２とを備え、枠体１０に対して障子２０を閉じた状態で錠部材３１を施錠操作することにより、障子２０の開く方向への移動を制限するものである。
【００１３】
本実施の形態１では、縦框２１において外周側となる見込み面２１ａに溝２１ｂが開口しており、この溝２１ｂの内部にフック３１ａを配設することによって錠部材３１が構成してある。フック３１ａは、縦框２１の長手に沿った支持軸３１ｂを中心として回転可能に配設したもので、図１（ｂ）に示すように、縦框２１の溝２１ｂを開放するように配置される解錠位置と、図１（ａ）に示すように、縦框２１の溝２１ｂを横切るように配置される施錠位置とに変位することができる。なお、図には明示していないが、このフック３１ａには、縦框２１の室内に臨む見付け面から外部に露出する操作部が連係してある。従って、室内側から操作部を操作することにより、フック３１ａを解錠位置と施錠位置とに移動することが可能である。
【００１４】
一方、縦枠１１の内周側となる見込み面（外表面）１１ａにおいて障子２０の縦框２１に対向する部位には、錠受け部材３２が設けてある。錠受け部材３２は、平板状を成す取付片３２ａと、取付片３２ａの一方の縁部からほぼ直角に屈曲するように延在した錠受け片３２ｂとを金属の板材によって一体に成形したものである。取付片３２ａは、縦枠１１の長手に沿って縦長の矩形状を成すもので、長手の両側となる部位にネジ挿通孔３２ｃが設けてある。ネジ挿通孔３２ｃは、後述するネジ部材４０の軸部４０ａを挿通可能、かつ頭部４０ｂを挿通不可とする内径を有した断面円形の貫通孔である。取付片３２ａの短手寸法は、縦枠１１に設けた２つの障子ヒレ部１１ｂの相互間距離よりも小さく設定してある。障子ヒレ部１１ｂは、縦枠１１の見込み面１１ａから内周側に向けて突出したもので、障子２０を閉じた際に縦框２１の先端部を相互間に収容するものである。錠受け片３２ｂは、上下に沿った長さが取付片３２ａと同じ寸法を有し、かつ取付片３２ａからの延在長さが取付片３２ａの短手寸法よりも大きな略矩形状を成すものである。錠受け片３２ｂの延在縁部には、上下方向に沿って縦長の矩形状を成す噛合孔３２ｄが形成してある。
【００１５】
上述の構成を有する錠受け部材３２は、図２及び図３に示すように、補強部材５０を介して取付片３２ａを縦枠１１の見込み面１１ａに重ね合わせ、取付片３２ａのネジ挿通孔３２ｃを介して縦枠１１にネジ部材４０を螺合することによって縦枠１１に取り付けてある。錠受け部材３２を取り付ける位置は、錠受け片３２ｂが縦框２１の溝２１ｂに対向し、かつ噛合孔３２ｄがフック３１ａに対応した高さとなる位置である。
【００１６】
補強部材５０は、金属板によって成形した矩形の平板状を成すものである。補強部材５０の上下に沿った寸法は、取付片３２ａとほぼ同じである。補強部材５０の見込み方向に沿った寸法は、取付片３２ａのほぼ２倍である。この補強部材５０には、４つのネジ挿通孔５０ａが設けてある。ネジ挿通孔５０ａは、取付片３２ａのネジ挿通孔３２ｃとほぼ同じ内径を有した円形の貫通孔であり、上下左右に２つずつ配置してある。上下に並設されたネジ挿通孔５０ａは、中心間距離が取付片３２ａに形成した２つのネジ挿通孔３２ｃの中心間距離と等しくなるように形成してある。
【００１７】
補強部材５０及び錠受け部材３２が取り付けられる縦枠１１の見込み面１１ａには、補強部材５０のネジ挿通孔３２ｃに対向する位置にそれぞれターンナット６０が取り付けてある。室内側に取り付けた上下２つのターンナット６０は、錠受け部材３２を縦枠１１に位置決め配置した場合に取付片３２ａのネジ挿通孔３２ｃに対応する部位に設けてある。従って、補強部材５０を介して錠受け部材３２を縦枠１１に取り付けるには、取付片３２ａのネジ挿通孔３２ｃ及び補強部材５０の室内側に位置するネジ挿通孔５０ａを介して縦枠１１のターンナット６０にネジ部材４０を螺合するとともに、室外側のネジ挿通孔５０ａを介して縦枠１１のターンナット６０にネジ部材４０を螺合すれば良い。錠受け片３２ｂの位置調整については、補強部材５０と取付片３２ａとの間に適宜枚数のシムプレート７０を介在させることによって行うことが可能である。
【００１８】
上記のようにして錠受け部材３２を取り付けた建具においては、室内側のネジ挿通孔３２ｃ，５０ａを介してターンナット６０に螺合したネジ部材４０により、錠受け部材３２と補強部材５０とが連結され、さらに補強部材５０の４つのネジ挿通孔５０ａを介してターンナット６０に螺合したネジ部材４０により、補強部材５０が縦枠１１に取り付けられることになる。従って、例えば錠部材３１のフック３１ａが係合した状態で障子２０を開く方向に力を加えた場合にも、錠受け部材３２に加えられる外力が４つのネジ部材４０に分散されることになり、錠受け部材３２が縦枠１１から脱落する等の問題を招来するおそれがなくなる。特に、錠受け片３２ｂを境界として室内側及び室外側の両側となる部位にネジ部材４０が螺合してあるため、例えば障子２０の開き操作に伴って錠部材３１に生じるモーメントに抗することができ、取り付け強度の点で一層有利となる。しかも、上述したように、錠受け部材３２及び補強部材５０をいずれも縦枠１１の内周側となる見込み面１１ａに取り付けているため、取り付け作業が煩雑となることもない。加えて、縦枠１１の外周側となる見込み面や中空部に補強部材５０を配設する必要がないため、例えば、リフォームの際にクレセント錠の建具から戸先錠３０の建具への変更にも容易に対応することができるようになる。
【００１９】
なお、上述した実施の形態１では、補強部材５０を縦枠１１に取り付けるネジ部材４０を利用して錠受け部材３２の取付片３２ａを補強部材５０に連結するようにしているため、取り付けに際して螺合するネジ部材４０の数を減らすことができ、取り付け作業を一層容易化することができる。しかしながら、例えば、図４に示す変形例の補強部材１５０ように、補強部材１５０を縦枠１１に取り付けるための４つのネジ挿通孔１５０ａとは別に、錠受け部材３２を連結するための専用のネジ孔１５０ｂを形成するようにしても良い。つまり、錠受け部材３２は、取付片３２ａのネジ挿通孔３２ｃを介してネジ孔１５０ｂに螺合されたネジ部材４０によって補強部材１５０にのみ連結され、補強部材１５０については４つのネジ挿通孔１５０ａを介して縦枠１１のターンナット６０に螺合されたネジ部材４０によって縦枠１１に取り付けられることになる。この変形例の補強部材１５０を適用した場合にも、錠受け部材３２に加えられる外力は、補強部材１５０を通じて４つのネジ部材４０に分散されることになり、取り付け強度の点で有利となるのは実施の形態１と同様である。
【００２０】
（実施の形態２）
図５及び図６は、本発明の実施の形態２である部品取付構造を適用した建具を示したものである。ここで例示する建具は、実施の形態１と同様、枠体１０に対して障子２０がスライド可能に指示された引き違い窓であり、実施の形態１とは、補強部材の形状のみが異なっている。以下、実施の形態１と異なる構成について主に説明し、実施の形態１と同様の構成については同一の符号を付してそれぞれの詳細説明を省略する。
【００２１】
実施の形態２で適用する補強部材２５０は、図７及び図８に示すように、カバー板部２５０ａと、２つの連結板部２５０ｂと、２つの取付板部２５０ｃとを有して構成してある。カバー板部２５０ａは、上下に沿った寸法が錠受け部材３２の取付片３２ａよりも大きく、見込み方向に沿った寸法が取付片３２ａとほぼ同じとなる矩形平板状を成すものである。このカバー板部２５０ａには、取付片３２ａのネジ挿通孔３２ｃに対応する部位にそれぞれネジ挿通孔２５０ｄが設けてある。連結板部２５０ｂは、カバー板部２５０ａの上下両端縁から縦枠１１の内周側に向けてほぼ直角に屈曲した平板状を成すものである。連結板部２５０ｂの見込み方向に沿った寸法は、カバー板部２５０ａの２倍以上あり、カバー板部２５０ａの室外側に位置する縁部２５０ｅから室外側に向けて突出した後、縦枠１１の外周側に向けて突出している。連結板部２５０ｂの突出縁部は、カバー板部２５０ａにおいて縦枠１１に対向する表面２５０ｆを超える位置まで延在している。取付板部２５０ｃは、カバー板部２５０ａに設けたネジ挿通孔２５０ｄよりも大きな外形の矩形平板状を成すもので、連結板部２５０ｂの突出縁部から互いに近接する方向に向けて延在している。２つの取付板部２５０ｃは、それぞれカバー板部２５０ａと平行であり、互いに同一の平面上に位置している。取付板部２５０ｃの外表面２５０ｇとカバー板部２５０ａにおいて縦枠１１に対向する表面２５０ｈとの間には、取付片３２ａの板厚よりも大きな隙間が確保してある。それぞれの取付板部２５０ｃには、カバー板部２５０ａに設けたネジ挿通孔２５０ｄと同一内径のネジ挿通孔２５０ｉが形成してある。取付板部２５０ｃに設けたネジ挿通孔２５０ｉの中心間距離は、カバー板部２５０ａに設けたネジ挿通孔２５０ｄの中心間距離よりも大きく設定してある。
【００２２】
上述の補強部材２５０を適用する実施の形態２では、図６及び図７に示すように、縦枠１１の内周側となる見込み面１１ａに錠受け部材３２の取付片３２ａ及び補強部材２５０のカバー板部２５０ａを順次重ね合わせた状態でネジ部材４０を螺合することで錠受け部材３２及び補強部材２５０を縦枠１１に取り付けることが可能となる。すなわち、カバー板部２５０ａのネジ挿通孔２５０ｄ及び取付片３２ａのネジ挿通孔３２ｃを介して縦枠１１のターンナット６０にネジ部材４０を螺合し、さらに、取付板部２５０ｃのネジ挿通孔２５０ｉを介して縦枠１１のターンナット６０にネジ部材４０を螺合すれば良い。錠受け片３２ｂの位置調整については、縦枠１１とカバー板部２５０ａとの間において取付片３２ａ及びシムプレート７０の重ね合わせ位置を変更することで適宜行うことが可能である。
【００２３】
上記のようにして錠受け部材３２を取り付けた建具においては、カバー板部２５０ａのネジ挿通孔２５０ｄを介してターンナット６０に螺合したネジ部材４０により、錠受け部材３２と補強部材２５０とが連結され、さらに補強部材２５０の４つのネジ挿通孔２５０ｄ，２５０ｉを介してターンナット６０に螺合したネジ部材４０により、補強部材２５０が縦枠１１に取り付けられることになる。従って、実施の形態２においても、錠受け部材３２に加えられる外力が４つのネジ部材４０に分散されることになり、錠受け部材３２が縦枠１１から脱落する等の問題を招来するおそれがなくなる。錠受け片３２ｂを境界として室内側及び室外側の両側となる部位にネジ部材４０が螺合してあるため、障子２０の開き操作に伴って錠部材３１に生じるモーメントに抗することができるは、実施の形態１と同様である。しかも、上述したように、錠受け部材３２及び補強部材２５０をいずれも縦枠１１の内周側となる見込み面１１ａに取り付けているため、取り付け作業が煩雑となることもない。加えて、縦枠１１の外周側となる見込み面や中空部に補強部材２５０を配設する必要がないため、例えば、リフォームの際にクレセント錠の建具から戸先錠３０の建具への変更にも容易に対応することができるようになる。
【００２４】
なお、上述した実施の形態１及び実施の形態２では、引き違い窓の戸先錠３０を構成する錠受け部材３２の取付構造を例示しているが、本発明はこれに限定されず、例えば、図９に示す実施の形態３のように、グレモン錠１３０の錠受け部材１３２等、その他の部品を取り付ける場合にも適用することが可能である。この場合、部品の取付対象が縦枠１１である必要はなく、上枠や下枠であっても良いし、障子２０を構成する框２１であっても構わない。また、部品の取付対象が樹脂製である必要もなく、部品が金属製である必要もない。なお、実施の形態３において実施の形態１と同様の構成については同一の符号が付してある。
【００２５】
以上のように、本発明に係る建具の部品取付構造は、部品に設けられたネジ挿通孔を介してネジ部材を螺合することにより、建材の外表面に前記部品を取り付ける建具の部品取付構造であって、前記部品のネジ挿通孔よりも数の多いネジ挿通孔が設けられた補強部材を備え、前記補強部材は、それぞれのネジ挿通孔を介してネジ部材を螺合することにより前記建材の外表面に取り付けられ、前記補強部材と前記部品とがネジ部材によって連結されていることを特徴としている。
この発明によれば、部品が取り付けられる建材の外表面に補強部材を配設しているため、煩雑な作業を要することなく所望の取り付け強度を確保して部品を取り付けることが可能となる。
【００２６】
また本発明は、上述した建具の部品取付構造において、前記補強部材を前記建材に取り付けるネジ部材によって前記補強部材と前記部品とが連結されていることを特徴としている。
この発明によれば、補強部材を取り付けるネジ部材によって部品を共締めすることができ、部品の取り付け作業を一層容易化することが可能となる。
【００２７】
また本発明は、上述した建具の部品取付構造において、前記ネジ部材は、前記部品、前記補強部材及び前記建材に順次挿通されていることを特徴としている。
この発明によれば、部品がもっとも外側に配置されるため、例えば、補強部材と部品との間に隙間調整部材を介在させることで、部品の取り付け高さ調整範囲を大きく確保することが可能となる。
【００２８】
また本発明は、上述した建具の部品取付構造において、前記ネジ部材は、前記補強部材、前記部品及び前記建材に順次挿通されていることを特徴としている。
この発明によれば、部品が建材の補強部材との間に挟持された状態となり、取り付け強度の点で一層有利となる。
【００２９】
また本発明は、上述した建具の部品取付構造において、前記部品は、平板状を成す取付片と、前記取付片の一方の縁部から屈曲するように延在した錠受け片とを有し、前記取付片を介して枠体を構成する枠の内周側に位置する見込み面に取り付けられる錠受け部材であり、前記枠体には、戸先となる框に錠部材を備えた障子が移動可能に配設され、前記錠部材は、前記枠体に対して前記障子を閉じた状態において前記錠受け部材の錠受け片に係合可能となるように構成されていることを特徴としている。
この発明によれば、躯体から取り外すことなく所望の取り付け強度を確保して枠の外表面に錠受け部材を取り付けることが可能となる。従って、例えば建築物のリフォームの際にクレセント錠から戸先錠への変更が容易となる。
【００３０】
また本発明は、上述した建具の部品取付構造において、前記補強部材には、前記錠受け片を境界として両側となる部位にそれぞれ前記ネジ挿通孔が設けられ、前記錠受け片の一方側に位置するネジ挿通孔には前記補強部材のみを前記枠に取り付けるネジ部材が螺合され、かつ前記錠受け片の他方側に位置するネジ挿通孔には前記補強部材及び前記取付片を前記枠に取り付けるネジ部材が螺合されていることを特徴としている。
この発明によれば、錠受け片を境界として両側となる部位にネジ部材が螺合されるため、例えば障子の開き操作に伴って錠部材に生じるモーメントに抗することができ、取り付け強度の点で一層有利となる。
【符号の説明】
【００３１】
１０  枠体、１１  縦枠、１１ａ  見込み面、２０  障子、２１  縦框、３１  錠部材、３２，１３２  錠受け部材、３２ａ  取付片、３２ｂ  錠受け片、３２ｃ，５０ａ，１５０ａ，２５０ｄ，２５０ｉ  ネジ挿通孔、４０  ネジ部材、５０，１５０，２５０  補強部材、６０  ターンナット
【図１】
2020169497.tif 000003
【図２】
2020169497.tif 000004
【図３】
2020169497.tif 000005
【図４】
2020169497.tif 000006
【図５】
2020169497.tif 000007
【図６】
2020169497.tif 000008
【図７】
2020169497.tif 000009
【図８】
2020169497.tif 000010
【図９】
2020169497.tif 000011